(57)【要約】ワイヤレス通信システムにおけるバックホール通信リンクへの負荷を軽減する方法が、アイドルおよび／または削除フレームの複数が連続して発見される場合のようなある状況において、上記フレームを表す上向きに流れるフレーム情報の一部を抑制する。無線基地局は、第２およびそれ以降のアイドルタイプのフレームに対して、フレームヘッダをＢＳＣ／ＡＮＣへ送信することを控え、および／または、無線基地局は、第２およびそれ以降の削除タイプのフレームに対して、フレームヘッダをＢＳＣ／ＡＮＣへ送信することを控える。追加または代替として、ヘッダは、良フレームの直後に続くアイドルフレームに対して抑制されてもよい。このような状況において、事実上ＢＳＣ／ＡＮＣは、抑制されたフレーム情報を埋め合わせ、フレームタイプの適切な指示を、フレーム選択アルゴリズムへ送信する。【選択図】図４
2009517946.tif 000002
【特許請求の範囲】
【請求項１】
ワイヤレス通信システムにおける第１の無線基地局のオペレーションを送信するフレームを制御する方法であって、
前記第１の無線基地局において、移動局から第１および第２の連続するフレームを受信することと、前記第２のフレームは前記第１のフレームの後に受信されることと、
前記第１の無線基地局において前記第１および第２のフレームを分類することと、
前記第１および第２のフレームの両方が異なって分類されることに応じて、前記第１の無線基地局は、少なくとも、前記第２のフレームに関連するヘッダを、前記移動局に関連するコールアンカへ送信することと、前記ヘッダは、前記第２のフレームの分類を示すことと、
前記第１および第２のフレームの両方が削除フレームに分類されることに応じて、前記第１の無線基地局は、前記ヘッダを前記コールアンカへ送信することを控えることと
を含む方法。
【請求項２】
前記第２のフレームが良フレームに分類される場合、少なくとも、前記第２のフレームに関連するヘッダを、前記コールアンカへ送信する前記第１の無線局は、前記ヘッダと前記第２のフレームに関連するペイロードとを前記コールアンカへ送信する前記第１の無線局を含む、請求項１に記載の方法。
【請求項３】
前記移動局からの対応するフレーム送信の受信なしで、フレーム境界が発見される場合、前記フレームをアイドルフレームに分類すること、をさらに含む請求項１に記載の方法。
【請求項４】
前記第１および第２のフレームの両方がアイドルフレームに分類される場合、前記第１の無線基地局は、前記ヘッダを前記コールアンカへ送信することを控えること、をさらに含む請求項１に記載の方法。
【請求項５】
前記第１の無線基地局において前記第１および第２のフレームを分類することは、前記フレームを良、アイドル、または削除のいずれかに分類することを含む、請求項１に記載の方法。
【請求項６】
ワイヤレス通信システムにおける第１の無線基地局のオペレーションを送信するフレームを制御する方法であって、
第１の無線基地局において、移動局に関連する第１および第２のフレームを分類することと、前記第２のフレームは、前記第１のフレームの直後に連続することと、
前記第１および第２のフレームの両方が異なって分類されることに応じて、前記第１の無線基地局は、少なくとも、前記第２のフレームに関連するヘッダを、前記移動局に関連するコールアンカへ送信することと、前記ヘッダは、前記第２のフレームの分類を示すことと、
前記第１および第２のフレームの両方がアイドルフレームに分類されることに応じて、前記第１の無線基地局は、前記ヘッダを前記コールアンカへ送信することを控えることと
を含む方法。
【請求項７】
前記第２のフレームが良フレームに分類される場合、少なくとも、前記第２のフレームに関連するヘッダを、前記コールアンカへ送信する前記第１の無線局は、前記ヘッダと前記第２のフレームに関連するペイロードとを前記コールアンカへ送信する前記第１の無線局を含む、請求項６に記載の方法。
【請求項８】
前記移動局からの対応するフレーム送信の受信なしで、対応するフレーム境界が発見される場合、前記フレームをアイドルフレームに分類すること、をさらに含む請求項６に記載の方法。
【請求項９】
前記第１の無線基地局において前記第１および第２のフレームを分類することは、前記フレームを良、アイドル、または削除のいずれかに分類することを含む、請求項６に記載の方法。
【請求項１０】
ワイヤレス通信システムにおける第１の無線基地局のオペレーションを送信するフレームを制御する方法であって、前記第１の無線基地局は、少なくともアイドルフレーム状態と、良フレーム状態と、削除フレーム状態とを有し、
前記方法は、
前記第１の無線基地局が前記削除フレーム状態にある間、前記第１の無線基地局において移動局からのリバースリンクフレームを受信することと、
前記第１の無線基地局により前記受信フレームを分類することと、
前記受信フレームが良フレームに分類されることに応じて、前記第１の無線基地局は、前記受信フレームとヘッダとを、前記移動局に関連するコールアンカへ送信し、前記良フレーム状態へ遷移することと、
前記受信フレームが削除フレームに分類されることに応じて、前記第１の無線基地局は、前記フレームを前記コールアンカへ送信することを控え、前記ヘッダを前記コールアンカへ送信することを控え、さらにそのまま前記削除フレーム状態にあることと、
前記受信フレームがアイドルフレームに分類されることに応じて、前記第１の無線基地局は、前記ヘッダを前記コールアンカへ送信するが、前記フレームを前記コールアンカへ送信することは控ることと、前記ヘッダはアイドルの指示を含むことと、前記第１の無線基地局は、さらに前記アイドルフレーム状態へ遷移することと
を含む方法。
【請求項１１】
前記移動局からの対応するフレーム送信の受信なしで、フレーム境界が発見される場合、前記受信フレームの前記分類は、前記受信フレームをアイドルに分類することを含む、請求項１０に記載の方法。
【請求項１２】
ワイヤレス通信システムにおける第１の基地局のオペレーションを送信するフレームを制御する方法であって、前記基地局は、少なくともアイドルフレーム状態と、良フレーム状態と、削除フレーム状態とを有し、
前記方法は、
前記第１の基地局が前記アイドルフレーム状態にある間、前記第１の基地局において、移動局からリバースリンクパケットを受信することと、
前記受信フレームを分類することと、
前記受信フレームが良フレームに分類されることに応じて、前記第１の基地局は、前記受信フレームとヘッダとを、前記移動局に関連するコールアンカへ送信し、前記良フレーム状態へ遷移することと、
前記受信フレームが削除フレームに分類されることに応じて、前記第１の基地局は、前記フレームを前記コールアンカへ送信することを控えるが、前記ヘッダを前記コールアンカへ送信することと、前記ヘッダは削除の指示を含むことと、前記第１の基地局は、さらに前記削除フレーム状態へ遷移することと、
前記受信フレームがアイドルフレームに分類されることに応じて、前記第１の基地局は、前記フレームを前記コールアンカへ送信することを控え、前記ヘッダを前記コールアンカへ送信することを控え、そのまま前記アイドル状態にあることと
を含む方法。
【請求項１３】
フレーム分類情報をアンカ基地局によりフレーム選択アルゴリズムへ提供する方法であって、前記アンカ基地局は、少なくともアイドルフレーム受信状態と、良フレーム受信状態と、削除フレーム受信状態とを有し、
前記方法は、
前記アイドルフレーム受信状態にあり、フレーム境界において前記第１の無線基地局からフレームまたはヘッダのどちらも受信しないことに応じて、前記アンカ基地局は、前記第１の基地局に対応する、アイドルフレームを示す指示を、前記フレーム選択アルゴリズムへ提供し、そのまま前記アイドルフレーム受信状態にあることと、
前記削除フレーム受信状態にあり、フレーム境界において第１の無線基地局からフレームまたはヘッダのどちらも受信しないことに応じて、前記アンカ基地局は、前記第１の基地局に対応する、削除フレームを示す指示を、前記フレーム選択アルゴリズムへ提供し、そのまま前記削除フレーム受信状態にあることと
を含む方法。
【請求項１４】
前記良フレーム受信状態にあり、フレーム境界において第１の無線基地局からフレームまたはヘッダのどちらも受信しないことに応じて、前記アンカ基地局は、前記第１の基地局に対応する、アイドルフレームを示す指示を、前記フレーム選択アルゴリズムへ提供し、前記アイドルフレーム受信状態へ遷移すること、をさらに含む請求項１３に記載の方法。
【請求項１５】
前記アンカ基地局は、
前記良フレーム受信状態にあり、良フレーム指示を受信することに応じて、前記第１の基地局に対応する、良フレームを示す指示を、前記フレーム選択アルゴリズムへ提供し、そのまま前記良フレーム受信状態にあることと、
前記良フレーム受信状態にあり、フレーム境界において第１の無線基地局からフレームまたはヘッダのどちらも受信しないことに応じて、前記第１の基地局に対応する、アイドルフレームを示す指示を、前記フレーム選択アルゴリズムへ提供し、前記アイドルフレーム受信状態へ遷移することと、
前記良フレーム受信状態にあり、削除フレーム指示を受信することに応じて、前記第１の基地局に対応する、削除フレームを示す指示を、前記フレーム選択アルゴリズムへ提供し、前記削除フレーム受信状態へ遷移することと、
前記削除フレーム受信状態にあり、良フレーム指示を受信することに応じて、前記第１の基地局に対応する、良フレームを示す指示を、前記フレーム選択アルゴリズムへ提供し、前記良フレーム受信状態へ遷移することと、
前記削除フレーム受信状態にあり、アイドルフレーム指示を受信することに応じて、前記第１の基地局に対応する、アイドルフレームを示す指示を、前記フレーム選択アルゴリズムへ提供し、前記アイドルフレーム受信状態へ遷移することと、
前記アイドルフレーム受信状態にあり、良フレーム指示を受信することに応じて、前記第１の基地局に対応する、良フレームを示す指示を、前記フレーム選択アルゴリズムへ提供し、前記良フレーム受信状態へ遷移することと、
前記アイドルフレーム受信状態にあり、削除フレーム指示を受信することに応じて、前記第１の基地局に対応する、削除フレームを示す指示を、前記フレーム選択アルゴリズムへ提供し、前記削除フレーム受信状態へ遷移することと、
をさらに含む請求項１３に記載の方法。
【請求項１６】
ワイヤレス通信システムための無線基地局であって、
移動局から第１および第２のフレームをリバースリンクで受信するように動作する受信機と、前記第２のフレームは前記第１のフレームの直後に連続することと、
前記受信機に結合され、
前記第１および第２のフレームを分類し、
前記第１および第２のフレームの両方が異なって分類されることに応じて、少なくとも、前記第２のフレームに関連するヘッダを、前記移動局に関連するコールアンカへ送信し、前記ヘッダは前記第２のフレームの分類を示し、
前記第１および第２のフレームの両方がアイドルフレームに分類されることに応じて、前記ヘッダを前記コールアンカへ送信することを控える
ように構成され、動作する１つまたはそれ以上の処理回路と
を含む無線基地局。
【請求項１７】
前記１つまたはそれ以上の処理回路は、さらに、前記第２のフレームが良フレームに分類される場合、前記ヘッダと前記第２のフレームに関連するペイロードとを前記コールアンカへ送信するように構成される、請求項１６に記載の無線基地局。
【請求項１８】
前記１つまたはそれ以上の処理回路は、さらに、前記移動局からの対応するフレーム送信の受信なしで、対応するフレーム境界が発見される場合、前記フレームをアイドルフレームに分類するように構成される、請求項１６に記載の無線基地局。
【請求項１９】
前記１つまたはそれ以上の処理回路は、さらに、前記第１および第２のフレームを良、アイドル、または削除のいずれかに分類するように構成される、請求項１６に記載の無線基地局。
【請求項２０】
ワイヤレス通信システムのための無線基地局であって、
移動局から第１および第２のフレームをリバースリンクで受信するように動作する受信機と、前記第２のフレームは前記第１のフレームの直後に連続することと、
前記受信機に結合され、
第１および第２のフレームを分類し、
前記第１および第２のフレームの両方が異なって分類されることに応じて、少なくとも、前記第２のフレームに関連するヘッダを、前記移動局に関連するコールアンカへ送信し、前記ヘッダは前記第２のフレームの分類を示し、
前記第１および第２のフレームの両方が削除フレームに分類されることに応じて、前記ヘッダを前記コールアンカへ送信することを控える
ように構成され、動作する１つまたはそれ以上の処理回路と
を含む無線基地局。
【請求項２１】
ワイヤレス通信システムにおけるアンカ基地局であって、
少なくとも第１の移動局を含む複数の移動局からリバースリンク送信を受信するように動作する少なくとも第１の無線基地局と、
前記無線基地局に結合され、
少なくともアイドルフレーム受信状態と、良フレーム受信状態と、削除フレーム受信状態との間で、前記第１の移動局に関連するフレーム受信状態を探知し、
前記削除フレーム受信状態にあり、フレーム境界において前記無線基地局からフレームまたはヘッダのどちらも受信しないことに応じて、前記第１の無線基地局に対応する、削除フレームを示す指示を、フレーム選択アルゴリズムへ提供し、
前記アイドルフレーム受信状態にあり、フレーム境界において前記無線基地局からフレームまたはヘッダのどちらも受信しないことに応じて、前記第１の無線基地局に対応する、アイドルフレームを示す指示を、フレーム選択アルゴリズムへ提供する
ように構成され、動作する１つまたはそれ以上の処理回路と
を含むアンカ基地局。
【請求項２２】
前記１つまたはそれ以上の処理回路は、さらに、前記良フレーム受信状態にあり、フレーム境界において前記無線基地局からフレームまたはヘッダのどちらも受信しないことに応じて、前記第１の無線基地局に対応する、アイドルフレームを示す指示を、フレーム選択アルゴリズムへ提供するように構成される、請求項２１に記載の方法。
【請求項２３】
ワイヤレス通信システムにおける第１の無線基地局のオペレーションを送信するフレームを制御する方法であって、
前記第１の無線基地局において、移動局から第１および第２の連続するフレームを受信することと、前記第２のフレームは前記第１のフレームの後に受信されることと、
前記無線基地局において前記第１および第２のフレームを分類することと、
前記第１および第２のフレームの両方が異なって分類されることに応じて、前記第１の無線基地局は、
前記第２のフレームがアイドルフレーム以外である場合、少なくとも、前記第２のフレームに関連するヘッダを、前記移動局に関連するコールアンカへ送信し、前記ヘッダは前記第２のフレームの分類を示し、
前記第２のフレームがアイドルフレームであり、前記第１のフレームが削除フレームである場合、前記ヘッダを前記コールアンカへ送信し、前記ヘッダは前記第２のフレームの分類を示し、
前記第２のフレームがアイドルフレームであり、前記第１のフレームが良フレームである場合、前記ヘッダを前記コールアンカへ送信することを控えることと、
前記第１または第２のフレームの両方がアイドルフレームに分類されることに応じて、前記第１の無線基地局は、前記ヘッダを前記コールアンカへ送信することを控えることと
を含む方法。
【請求項２４】
フレーム分類情報をアンカ基地局によりフレーム選択アルゴリズムへ提供する方法であって、前記アンカ基地局は、少なくともアイドルフレーム受信状態と、良フレーム受信状態と、削除フレーム受信状態とを有し、
前記方法は、
前記良フレーム受信状態にあり、フレーム境界において前記第１の無線基地局からフレームまたはヘッダのどちらも受信しないことに応じて、前記アンカ基地局は、前記第１の基地局に対応する、アイドルフレームを示す指示を、前記第１の基地局へ提供し、前記アイドルフレーム受信状態へ遷移することと、
前記アイドルフレーム受信状態にあり、フレーム境界において前記無線基地局からフレームまたはヘッダのどちらも受信しないことに応じて、前記アンカ基地局は、前記第１の基地局に対応する、アイドルフレームを示す指示を、前記フレーム選択アルゴリズムへ提供し、そのまま前記アイドルフレーム受信状態にあることと
を含む方法。
【発明の詳細な説明】
【技術分野】
【０００１】
本発明は、ワイヤレス通信システムに関し、より具体的には、ワイヤレス通信システムにおいて、リバースリンクフレームおよび／またはリバースリンクフレームについての情報の送信を制御する方法に関する。
【背景技術】
【０００２】
移動体インターネット、ビデオストリーミング、ＩＰを通した音声（ｖｏｉｃｅ  ｏｖｅｒ  ＩＰ：ＶｏＩＰ）などのワイヤレスデータサービスに対する要求は、このようなサービスに必要とされる高データレートを提供するための高速パケットデータチャネルの発達をもたらした。ＴＩＡ‐２０００（１ｘＥＶ‐ＤＶとしても知られる）と、ＴＩＡ‐８５６（１ｘＥＶ‐ＤＯとしても知られる）と、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システムとを含むさまざまな移動体通信システムにおける送信リンク上で、高速パケットデータチャネルは使用される。高速パケットデータチャネルは時間共有チャネルであり、例えば基地局から移動局への、ダウンリンク送信は、典型的には時間多重化され、全出力で送信される。
【０００３】
ダウンリンク送信を受信することに加え、移動局はパケットデータを基地局へ、リバースリンク（ｒｅｖｅｒｓｅ  ｌｉｎｋ）と呼ばれるもので送信する。単一のサービス中の無線基地局によるダウンリンク上で、移動局が任意の時間サービス可能である間、例えばソフトハンドオフ間などに、上記移動局によって送信されるリバースリンクフレームは、複数の無線基地局によって受信可能である。受信する複数の無線基地局は、典型的に、アウターループ電力制御のためなどさらなる処理のために、システム内のコールアンカ（ｃａｌｌ  ａｎｃｈｏｒ）ノードへ受信フレームを送信する。このように、ある程度のダイバーシティ利得がリバースリンクで実現可能である。しかし、このダイバーシティ利得を得るために、システムの内部へのバックホール（ｂａｃｋｈａｕｌ）通信リンク上に、ある追加トラフィックが配置される。これらのバックホール通信リンクは、無線基地局からその制御する基地局コントローラへ、または非アンカ基地局からコールアンカ基地局へのように、通信システムにおいて概念的に「上向きに（ｕｐｗａｒｄ）」情報を運ぶ。ユニバーサル移動体電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）のシステムにおける無線ネットワークコントローラ（Ｒａｄｉｏ  Ｎｅｔｗｏｒｋ  Ｃｏｎｔｒｏｌｌｅｒ：ＲＮＣ）間のＩｕｂリンクや無線基地局装置（Ｂａｓｅ  Ｔｒａｎｓｃｅｉｖｅｒ  Ｓｔａｔｉｏｎ：ＢＴＳ）が可能であるように、例えば基地局間のＡｂｉｓリンクがバックホール通信リンクとして使用可能である。ダイバーシティ利得ｐを達成するために、関係するフレーム情報を複数の無線基地局からコールアンカへ送信中の、バックホール通信リンク上に配置される追加のトラフィックは、ある場合においては全システム性能に悪影響を与える可能性のある負荷をそれらのバックホールリンク上に結びつける。
【発明の開示】
【０００４】
本発明は、複数のアイドルおよび／または削除フレームが連続して発見される場合に、上記フレームを表す上向きに流れるフレーム情報の一部を抑制することにより、バックホール通信リンクへの負荷を軽減する方法を提供する。ある実施形態において、タイプがアイドルまたは削除のどちらかである場合、無線基地局は、同じタイプの第２およびそれ以降のフレームに対して、フレームヘッダをＢＳＣ／ＡＮＣへ送信することを控える（上記ヘッダを抑制する）。代わりに、またはかかる抑制に加えて、アイドルフレームが良フレームの直後に続く場合、無線基地局は、ヘッダを抑制してもよい。このような場合、事実上ＢＳＣ／ＡＮＣは、抑制されたフレーム情報を埋め合わせ、フレームタイプの適切な指示をフレーム選択アルゴリズムへ送信する。
【０００５】
ある実施形態において、本発明は、ワイヤレス通信システムにおける第１の無線基地局のオペレーションを送信するフレームを制御する方法を提供し、上記方法は、第１の無線基地局において移動局から第１および第２の連続するフレームを受信することと、第２のフレームは第１のフレームの後に受信されることと、第１の無線基地局において第１および第２のフレームを分類することと、第１および第２のフレームの両方が異なって分類されることに応じて、第１の無線基地局は、少なくとも、第２のフレームに関連するヘッダを、移動局に関連するコールアンカへ送信することと、ヘッダは第２のフレームの分類を示すことと、第１および第２のフレームの両方が削除フレームに分類されることに応じて、第１の無線基地局は、ヘッダをコールアンカへ送信することを控えることと、を含む。使用可能なフレーム分類は良（ｇｏｏｄ）、アイドル（ｉｄｌｅ）、または削除（ｅｒａｓｅｄ）である場合がある。第２のフレームが良フレームに分類される場合、第１の無線局は、ヘッダと第２のフレームに関連するペイロードとをコールアンカへ送信してもよい。移動局からの対応するフレーム送信の受信なしで、対応するフレーム境界が発見される場合、フレームはアイドルに分類されてもよい。第１および第２のフレームの両方がアイドルフレームに分類される場合、第１の無線基地局はヘッダをコールアンカへ送信することを控えるのが有利である。対応する装置も説明する。
【０００６】
別の実施形態において、本発明は、ワイヤレス通信システムにおける第１の無線基地局のオペレーションを送信するフレームを制御する方法を提供し、上記方法は、第１の無線基地局において移動局から第１および第２の連続するフレームを受信することと、第２のフレームは第１のフレームの後に受信されることと、第１の無線基地局において第１および第２のフレームを分類することと、第１および第２のフレームの両方が異なって分類されることに応じて、第１の無線基地局は、少なくとも、第２のフレームに関連するヘッダを、移動局に関連するコールアンカへ送信することと、ヘッダは第２のフレームの分類を示すことと、第１および第２のフレームの両方がアイドルフレームに分類されることに応じて、第１の無線基地局は、ヘッダをコールアンカへ送信することを控えることと、を含む。使用可能なフレーム分類は良、アイドル、または削除である場合がある。第２のフレームが良フレームに分類される場合、第１の無線局は、ヘッダと第２のフレームに関連するペイロードとをコールアンカへ送信してもよい。移動局からの対応するフレーム送信の受信なしで、対応するフレーム境界が発見される場合、フレームはアイドルに分類されてもよい。対応する装置も説明する。
【０００７】
別の実施形態において、本発明は、ワイヤレス通信システムにおける第１の無線基地局のオペレーションを送信するフレームを制御する方法を提供し、上記方法は、第１の無線基地局において、移動局から第１および第２の連続するフレームを受信することと、第２のフレームは第１のフレームの後に受信されることと、無線基地局において第１および第２のフレームを分類することと、第１および第２のフレームの両方が異なって分類されることに応じて、第１の無線基地局は、ａ）第２のフレームがアイドルフレーム以外である場合、少なくとも、第２のフレームに関連するヘッダを、移動局に関連するコールアンカへ送信し、ヘッダは第２のフレームの分類を示し、ｂ）第２のフレームがアイドルフレームであり、第１のフレームが削除フレームである場合、ヘッダをコールアンカへ送信し、ヘッダは第２のフレームの分類を示し、ｃ）第２のフレームがアイドルフレームであり、第１のフレームが良フレームである場合、ヘッダをコールアンカへ送信することを控えることと、第１または第２のフレームの両方がアイドルフレームに分類されることに応じて、第１の無線基地局は、ヘッダをコールアンカへ送信することを控えることと、を含む。対応する装置も説明する。
【０００８】
別の実施形態において、本発明は、アンカ基地局によりフレーム分類情報をフレーム選択アルゴリズムへ提供する方法を提供し、アンカ基地局は、少なくともアイドルフレーム受信状態と、良フレーム受信状態と、削除フレーム受信状態とを有し、上記方法は以下を含む。アイドルフレーム受信状態にあり、フレーム境界において第１の無線基地局からフレームまたはヘッダのどちらも受信しないことに応じて、第１の基地局に対応する、アイドルフレームを示す指示を、フレーム選択アルゴリズムへ提供し、そのままアイドルフレーム受信状態にあること。および、削除フレーム受信状態にあり、フレーム境界において第１の無線基地局からフレームまたはヘッダのどちらも受信しないことに応じて、第１の基地局に対応する、削除フレームを示す指示を、フレーム選択アルゴリズムへ提供し、そのまま削除フレーム受信状態にあること。対応する装置も説明する。
【０００９】
別の実施形態において、本発明は、アンカ基地局によりフレーム分類情報をフレーム選択アルゴリズムへ提供する方法を提供し、アンカ基地局は、少なくともアイドルフレーム受信状態と、良フレーム受信状態と、削除フレーム受信状態とを有し、上記方法は以下を含む。良フレーム受信状態にあり、フレーム境界において第１の無線基地局からフレームまたはヘッダのどちらも受信しないことに応じて、アンカ基地局は、第１の基地局に対応する、アイドルフレームを示す指示を、第１の基地局へ提供し、アイドルフレーム受信状態へ遷移すること。および、アイドルフレーム受信状態にあり、フレーム境界において無線基地局からフレームまたはヘッダのどちらも受信しないことに応じて、アンカ基地局は、第１の基地局に対応する、アイドルフレームを示す指示を、フレーム選択アルゴリズムへ提供し、そのままアイドルフレーム受信状態にあること。対応する装置も説明する。
【発明を実施するための最良の形態】
【００１０】
本発明は、ワイヤレス通信システム内で動作する複数の移動局を有するワイヤレス通信システムにおけるオペレーションを送信するパケットの制御に関する。そのようなものとして、ワイヤレス通信システムの一例を簡単に概観することが、本発明の理解に役立つ場合がある。
【００１１】
図１は、パケットデータサービスを移動局９０へ提供するワイヤレス通信ネットワーク１０の一例の論理的実体を示す。一般的に、ＴＩＡ‐２０００規格、Ｗ‐ＣＤＭＡ規格、１ｘＥＶ‐ＤＯ、マイクロ波アクセスのための世界的相互操作可能性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（ＷｉＭＡＸとしても知られる。ＩＥＥＥ８０２．１６を参照されたい）、または他の規格に従って、ワイヤレス通信ネットワーク１０は構成可能である。ワイヤレス通信ネットワーク１０は、パケット交換ネットワークであることが有利であり、パケット交換ネットワークは、フォワードパケットデータチャネル（ｆｏｒｗａｒｄ  ｐａｃｋｅｔ  ｄａｔａ  ｃｈａｎｎｅｌ：Ｆ‐ＰＤＣＨ）を使用してトラフィックデータを移動局９０へ送信し、リバースパケットデータチャネル（ｒｅｖｅｒｓｅ  ｐａｃｋｅｔ  ｄａｔａ  ｃｈａｎｎｅｌ：Ｒ‐ＰＤＣＨ）を使用してトラフィックデータを移動局９０から受信する。ワイヤレス通信ネットワーク１０は、パケット交換コアネットワーク２０と、無線アクセスネットワーク（ｒａｄｉｏ  ａｃｃｅｓｓ  ｎｅｔｗｏｒｋ：ＲＡＮ）３０とを含む。インターネットなど外部パケットデータネットワーク（ｐａｃｋｅｔ  ｄａｔａ  ｎｅｔｗｏｒｋ：ＰＤＮ）１６に接続するパケットデータサービス提供ノード（Ｐａｃｋｅｔ  Ｄａｔａ  Ｓｅｒｖｉｎｇ  Ｎｏｄｅ：ＰＤＳＮ）２２を、コアネットワーク２０は含み、移動局９０へのまたは移動局９０からのＰＰＰ接続を支援する。コアネットワーク２０は、ＩＰストリームを、ＲＡＮ３０へ追加またはＲＡＮ３０から取り除き、外部パケットデータネットワーク１６とＲＡＮ３０との間でパケットをルーティングする。
【００１２】
ＲＡＮ３０は、コアネットワーク２０に接続し、移動局９０に、コアネットワーク２０へのアクセスを与える。ＲＡＮは、パケット制御機能（Ｐａｃｋｅｔ  Ｃｏｎｔｒｏｌ  Ｆｕｎｃｔｉｏｎ：ＰＣＦ）３２と、１つまたはそれ以上の基地局コントローラ（ｂａｓｅ  ｓｔａｔｉｏｎ  ｃｏｎｔｒｏｌｌｅｒ：ＢＳＣ）３４と、１つまたはそれ以上の無線基地局（ｒａｄｉｏ  ｂａｓｅ  ｓｔａｔｉｏｎ：ＲＢＳ）３６とを含む。ＰＣＦ３２の主要な機能は、ＰＤＳＮ２２への接続を確立、維持、および終了することである。ＢＳＣ３４は、それぞれのカバーエリア（ｃｏｖｅｒａｇｅ  ａｒｅａｓ）内の無線資源を管理する。ＲＢＳ３６は、エアーインターフェース（ａｉｒ  ｉｎｔｅｒｆａｃｅ）を通して移動局９０と通信するための無線イクイップメントを含む。ＢＳＣ３４は、１つよりも多くのＲＢＳ３６を管理可能である。この例示的な実施形態において、ＢＳＣ３４およびＲＢＳ３６は基地局４０を含み、一方ＢＳＣ３４は基地局４０の制御部である。ＲＢＳ３６は、無線イクイップメントを含む基地局４０の一部であり、通常はセルサイトに関連している。図示するとおり、単一のＢＳＣ３４が、複数の基地局４０の制御部として機能しても良い。他のネットワークアーキテクチャにおいては、基地局４０を含むネットワーク構成要素は異なる場合があるのだが、機能性全体は同様または類似のものであろう。例えば、図３〜４に関する以下の議論を参照されたい。
【００１３】
図２を参照すると、基地局の実施形態の一例における構成要素が、ＲＢＳ３６とＢＳＣ３４との間に分布されている。ＲＢＳ３６は、ＲＦ回路４２と、ベースバンド処理・制御回路４４と、ＢＳＣ３４と通信するためのインターフェース回路４６とを含む。ＲＦ回路４２は、１つまたはそれ以上の送信機４２Ｔと受信機４２Ｒとを含み、移動局４０へ信号を送信し、移動局４０から信号を受信する。例えば、受信機４２Ｔは、移動局９０によって送信されるリバースリンクデータパケットを受信し、処理のためにベースバンド処理・制御回路４４へ同データパケットを渡す。ベースバンド処理・制御回路４４は、送信および受信信号のベースバンド処理を行う。図２に示す実施形態において、ベースバンド処理・制御回路４４は、フォワードパケットデータチャネル（Ｆ‐ＰＤＣＨ）上のパケットデータ送信をスケジュールするスケジューラ４８を含む。スケジューラ４８は、スケジューリング決定を行い、とりわけ移動局９０からのチャネルフィードバックに基づいて、ダウンリンク送信のための適切な変調および符号化スキームを選択する。ハードウェア、ソフトウェア、またはそれらのある組み合わせを含む１つまたはそれ以上の処理回路として、ベースバンド処理・制御回路４４は実施可能であり、かかる処理回路は、必要に応じて、ここで説明する処理の１つまたはそれ以上を実施するように構成される。例えば、ＲＢＳ３６に含まれる１つまたはそれ以上のマイクロプロセッサまたは他の論理回路によって実行される格納プログラム命令として、ベースバンド処理・制御回路４４は実施されてもよい。
【００１４】
ＢＳＣ３４は、ＲＢＳ３６と通信するためのインターフェース回路５０と、通信制御回路５２と、ＰＣＦと通信するためのインターフェース回路５４とを含む。通信制御回路５２は、基地局４０によって使用される無線および通信資源を管理する。通信制御回路５２は、ＲＢＳ３６と移動局９０との間の通信チャネルをセットアップ、維持、および破棄する責任を負う。また通信制御回路５２は、ウォルシュ符号を割り当て、電力制御機能を行う場合もある。通信制御回路５２は、ソフトウェア、ハードウェア、またはその両方のある組み合わせにおいて実施可能である。例えば、通信制御回路５２は、ＢＳＣ３４に含まれる１つまたはそれ以上のマイクロプロセッサまたは他の論理回路によって実行される格納プログラム命令として実施されてもよい。
【００１５】
ワイヤレス通信システム１０のいくつかの例は、図１〜２のワイヤレス通信システム１０よりも集中していない。これらのシステムについて、ＢＳＣ３４およびＰＣＦ３２の機能性が、特定のＲＢＳ３６の専用とされること、および押し下げられてＲＢＳと共同設置されることは一般的ではない。例えば、図３はこのようなアーキテクチャにおける基地局４０’を示す。基地局４０’は、アクセスネットワークコントローラ（ａｃｃｅｓｓ  ｎｅｔｗｏｒｋ  ｃｏｎｔｒｏｌｌｅｒ：ＡＮＣ）６０と、パケット制御機能（ＰＣＦ）３２’とを有する。ＡＮＣ６０は、図２のＢＳＣ３４の通信制御回路５２と同様に機能し、関連するＲＢＳ３６のために無線資源を管理する。ＰＣＦ３２’は、図１のＰＣＦ３２と同様に機能し、ＰＤＳＮ２２への接続を確立、維持、終了するように機能する。図４を参照すると、基地局４０’とＰＤＳＮ２２との間のパケットデータは、Ａ１０通信リンクを通って進む場合があり、一方信号データは、Ａ１１リンクを通って基地局４０’とＰＤＳＮとの間を進む場合がある。異なる基地局４０’のＡＮＣ６０間の通信は、Ａ１３通信リンクを通って進み、これは時々サイドホール接続（ｓｉｄｅｈａｕｌ  ｃｏｎｎｅｃｔｉｏｎ）と呼ばれる。基地局４０’は、例えばＴＩＡ‐８５６‐Ａに従って動作可能であり、ＴＩＡ‐８５６‐Ａは、基地局４０’と移動局９０との間のエアーインターフェースを定義する。本発明は、上に示した以外のエアーインターフェース規格も使用可能であることを、当業者は了解するであろう。
【００１６】
移動局９０は、ＢＳＣ／ＡＮＣ７０の制御下で動作するＲＢＳ３６から、図４において破線で示すダウンリンク（ｄｏｗｎｌｉｎｋ：ＤＬ）送信を受信する場合がある。システムアーキテクチャに応じて、ＢＳＣ３４またはＡＮＣ６０のいずれかがＲＢＳ３６の制御の責任を負うため、図４においては「ＢＳＣ／ＡＮＣ」という表示を使用している。単一のＲＢＳ３６がダウンリンクで移動局９０にサービスしている場合がある一方で、複数のＲＢＳ３６がソフトハンドオフ間など任意の状況で任意の移動局９０からリバースリンク送信を受信している場合もある。単純化のため、２つのＲＢＳ――ＸおよびＹとラベルしている――が示されているが、３つまたはそれ以上のＲＢＳ３６がある場合もあることを理解されたい。これらの２つのＲＢＳ３６は、ともにＢＳＣ／ＡＮＣ７０と通信する、言い換えると、フレーム選択アルゴリズム８０と通信する。フレーム選択アルゴリズムは、典型的にはコールアンカに設置され、アウターループ電力制御などのための情報を提供することに関与する。当技術分野において周知のように、コールアンカは典型的にはＢＳＣ／ＡＮＣ７０であり、ＢＳＣ／ＡＮＣ７０を通して、移動局９０は通信セッションを初期セットアップする。
【００１７】
概念的には、リバースリンクフレームは、移動局９０からＲＢＳＸ‐Ｙにおいて受信され、ＢＳＣ／ＡＮＣ７０へ送信される。ＢＳＣ／ＡＮＣ７０は、各ＲＢＳ３６からのフレームの分類（例えば、良、アイドル、削除）を審査し、さらなる処理のためにフレーム選択アルゴリズム８０へ適切な指示（ｉｎｄｉｃａｔｉｏｎ）を送信する。従来のシステムにおいてかかる動作を行うために、各ＲＢＳ３６は、フレームのその分類をＢＳＣ／ＡＮＣ７０へ送信し、それによりＢＳＣ／ＡＮＣ７０とさまざまなＲＢＳＸ‐Ｙとの間のバックホール通信リンクに負荷を与える。本発明は、ある状況においてこの負荷を軽減するための手段を提供する。
【００１８】
本発明において、各ＲＢＳ３６は、移動局９０からの最後のフレームの分類に応じて、３つの異なる状態で動作すると考えて良い。単純化のために、３つの状態を、良フレーム状態１０２、削除フレーム状態１０４、およびアイドルフレーム状態１０６と呼ぶ。図５を参照されたい。各受信フレームに対し、または、フレームが１つも受信されない場合は対応するフレーム境界において、ＲＢＳ３６は、「新（ｎｅｗ）」フレームの分類に基づき、その動作状態と、ＢＳＣ／ＡＮＣ７０へ送信される（または送信されない）情報とを制御する。この例示的な例のために、各新フレームは良（Ｇｏｏｄ）、アイドル（Ｉｄｌｅ）、または不良（Ｂａｄ）のいずれかに分類可能であると想定する。良フレームは、適当に受信および復号されるフレームであり、典型的にはデータペイロードを含む。不良フレームは、不適当に受信されるおよび／または正しく復号されていないフレームである。アイドルフレームは、リバースリンク送信を移動局９０から受信することなく、フレーム境界が発見される（ｅｎｃｏｕｎｔｅｒｅｄ）フレームである。新フレームの分類およびＲＢＳの現動作状況に応じて、ＲＢＳ３６は、図５に示し以下で説明するように応じる。
【００１９】
ＲＢＳ３６が良フレーム状態１０２にある場合、ＲＢＳ３６は以下のように応じる。１）新フレームが良フレームである場合、ＲＢＳ３６は、対応するヘッダとともにフレームペイロードをＢＳＣ／ＡＮＣ７０に送信し、そのまま良フレーム状態１０２にある。２）新フレームが不良フレームである場合、ＲＢＳ３６は、削除の指示を有するヘッダをＢＳＣ／ＡＮＣ７０へ送信するが、フレームのペイロードは送信せず、削除フレーム状態１０４へ遷移する。３）新フレームがアイドルフレームである場合、ＲＢＳ３６は、アイドルの指示を有するヘッダをＢＳＣ／ＡＮＣ７０へ送信するが、フレームのペイロードは送信せず、アイドルフレーム状態１０６へ遷移する。
【００２０】
ＲＢＳ３６が削除フレーム状態１０４にある場合、ＲＢＳ３６は以下のように応じる。１）新フレームが良フレームである場合、ＲＢＳ３６は、対応するヘッダとともにフレームペイロードをＢＳＣ／ＡＮＣ７０へ送信し、良フレーム状態１０２へ遷移する。２）新フレームが不良フレームである場合、ＲＢＳ３６は、ヘッダまたはフレームのペイロードをＢＳＣ／ＡＮＣ７０へ送信することを控え（すなわち、どちらも送信せず）、そのまま削除フレーム状態１０４にある。３）新フレームがアイドルフレームである場合、ＲＢＳ３６は、アイドルの指示を有するヘッダをＢＳＣ／ＡＮＣ７０へ送信するが、フレームのペイロードは送信せず、アイドルフレーム状態１０６へ遷移する。
【００２１】
ＲＢＳ３６がアイドルフレーム状態１０６にある場合、ＲＢＳ３６は以下のように応じる。１）新フレームが良フレームである場合、ＲＢＳ３６は、対応するヘッダとともにフレームペイロードをＢＳＣ／ＡＮＣ７０へ送信し、良フレーム状態１０２へ遷移する。２）新フレームが不良フレームである場合、ＲＢＳ３６は、削除の指示を有するヘッダをＢＳＣ／ＡＮＣ７０へ送信するが、フレームのペイロードは送信せず、削除フレーム状態１０４へ遷移する。３）新フレームがアイドルフレームである場合、ＲＢＳ３６は、ヘッダまたはフレームのペイロードをＢＳＣ／ＡＮＣ７０へ送信することを控え（すなわち、どちらも送信せず）、そのままアイドルフレーム状態１０６にある。
【００２２】
このように、了解のとおり、ＲＢＳ３６の論理の例示的な実施形態は、ＲＢＳ３６がすでに対応する状態にある場合、アイドルフレームヘッダおよび削除フレームヘッダをＢＳＣ／ＡＮＣ７０へ送信することを控える。そのようなものとして、複数のアイドルフレームが相次いで発見される場合、および複数の削除フレームが相次いで発見される場合、ＢＳＣ／ＡＮＣ７０へのバックホール通信リンクに対する負荷は軽減される。
【００２３】
ＢＳＣ／ＡＮＣ７０における論理のいくつかの捕捉変更は、本発明の存在がフレーム選択アルゴリズムに対して透過的（ｔｒａｎｓｐａｒｅｎｔ）となることを可能とする。ＢＳＣ／ＡＮＣ７０において、さまざまなＲＢＳ３６からの、新フレームに対する良／アイドル／削除フレーム出力が審査され、対応するフレーム指示（時にはペイロードも）がフレーム選択アルゴリズム８０へ送信される。本質的に、ＢＳＣ／ＡＮＣ７０は、アクティブセットにおける各ＲＢＳ３６に対する状態装置（ｓｔａｔｅ  ｍａｃｈｉｎｅ）Ｓ（例えばＳＸ、ＳＹ）を維持し、状態装置Ｓは上記ＢＳＣ／ＡＮＣ７０に報告し、各ＲＢＳ３６に対するフレーム選択アルゴリズム８０への入力は、対応する状態装置の現状態および上記ＲＢＳ３６からの「新」フレームの分類に基づき決定される。ＢＳＣ／ＡＮＣ７０内の各状態装置ＳＸ、ＳＹは、３つの動作状態、良状態１１２、削除状態１１４、およびアイドル状態１１６を有すると考えてよい。対応するＲＢＳ３６からのフレーム分類データと状態装置の現動作状態とに依存して、状態装置ＳＸ、ＳＹは、図６に示し以下に説明するように応じる。
【００２４】
状態装置（ＳＸまたはＳＹ）が良状態１１２にある場合、状態装置は以下のように応じる。１）ＲＢＳ３６からの良フレーム指示に対し、状態装置は、良フレームをフレーム選択アルゴリズム８０に示し、対応するフレームペイロードを、さらなる処理のため適切な実体へ送信し、そのまま良状態１１２にある。２）ＲＢＳ３６からの削除フレーム指示に対し、状態装置は、削除フレームをフレーム選択アルゴリズム８０に示し、削除状態１１４へ遷移する。３）ＲＢＳ３６からのアイドルフレーム指示に対し、状態装置は、アイドルの指示をフレーム選択アルゴリズム８０へ送信し、アイドル状態１１６へ遷移する。
【００２５】
状態装置（ＳＸまたはＳＹ）が削除状態１１４にある場合、状態装置は以下のように応じる。１）ＲＢＳ３６からの良フレーム指示に対し、状態装置は、良フレームをフレーム選択アルゴリズム８０に示し、対応するフレームペイロードを、さらなる処理のため適切な実体へ送信し、良状態１１２へ遷移する。２）状態装置が、フレーム境界においてＲＢＳ３６から１つもフレーム分類指示を受信せず、それにより削除フレームを示す場合、状態装置は、削除フレームをフレーム選択アルゴリズム８０に示し、そのまま削除状態１１４にある。３）ＲＢＳ３６からのアイドルフレーム指示に対し、状態装置は、アイドルフレーム指示をフレーム選択アルゴリズム８０へ送信し、アイドル状態１１６へ遷移する。
【００２６】
状態装置（ＳＸまたはＳＹ）がアイドル状態１１６にある場合、状態装置は以下のように応じる。１）ＲＢＳ３６からの良フレーム指示に対し、状態装置は、良フレームをフレーム選択アルゴリズム８０に示し、対応するフレームペイロードを、さらなる処理のため適切な実体へ送信し、良状態１１２へ遷移する。２）ＲＢＳ３６からの削除フレーム指示に対し、状態装置は、削除フレームをフレーム選択アルゴリズム８０に示し、削除状態１１４へ遷移する。３）状態装置が、フレーム境界においてＲＢＳ３６から１つもフレーム分類指示を受信せず、それによりアイドルフレームを示す場合、状態装置は、アイドルフレームの指示をフレーム選択アルゴリズム８０へ送信し、そのままアイドル状態１１６にある。
【００２７】
了解のとおり、状態装置（ＳＸまたはＳＹ）の論理は事実上、フレーム分類の「欠損（ｍｉｓｓｉｎｇ）」指示を、図５の論理のため控えられたそれらの分類報告の代わりにフレーム選択アルゴリズム８０へ提供する。このように、フレーム選択アルゴリズム８０には、本発明により可能となるバックホール通信リンク負荷の軽減による悪影響はない。
【００２８】
フレーム選択アルゴリズム８０は、状態装置ＳＸ、ＳＹのいずれかが良フレームを示す場合には良フレームを選択するように機能してもよい。また、フレーム選択アルゴリズム８０は、全部の状態装置ＳＸ、ＳＹがアイドルフレームを示す場合にはアイドルフレームを選択するように機能してもよい。また、状態装置ＳＸ、ＳＹのいずれかが削除フレームを示し、状態装置ＳＸ、ＳＹのうち１つも良フレームを示さない場合には、フレーム選択アルゴリズム８０は削除フレームを選択するように機能してもよい。この処理の処理流れ図の一例を図７に示す。ステップ２１０において、アクティブセットにおける全部のＲＢＳ３６に対するさまざまな状態装置ＳＸ、ＳＹからの入力が収集される。状態装置ＳＸ、ＳＹのいずれかが良フレームを示す（ステップ２２０）場合、良フレームが選択される（ステップ２３０）。状態装置ＳＸ、ＳＹのいずれも良フレームを示さない場合、全部の状態装置ＳＸ、ＳＹがアイドルフレームを示すかどうかのチェック（ステップ２４０）へと、処理は進行する。全部の状態装置ＳＸ、ＳＹがアイドルフレームを示さない場合、この例においては、全部の状態装置ＳＸ、ＳＹは削除フレームを示していなければならず、削除フレームが選択される（ステップ２６０）。
【００２９】
ある実施形態においては、良フレームの後にアイドルフレームを暗示的に示すという代替アプローチをとる場合もある。この実施形態については、ＲＢＳ３６は一般的には上述のとおりに動作可能だが、良フレーム状態１０２にある間にアイドルフレームが検出されると、ＲＢＳ３６は、ヘッダをＢＳＣ／ＡＮＣ７０へ送信しない場合がある。つまり、ＲＢＳ３６が良フレーム状態１０２にある場合、ＲＢＳ３６はアイドルフレームに対し、ヘッダをＢＳＣ／ＡＮＣ７０へ送信することを控える（すなわち何も送信しない）ことで応じ、アイドルフレーム状態１０６へ遷移する。この修正を処理するために、ＢＳＣ／ＡＮＣ７０の論理は、良状態１１２について修正される。この実施形態においては、状態装置（ＳＸまたはＳＹ）が良状態１１２にあり、フレーム境界においてＲＢＳ３６から１つもフレーム分類指示が受信されない場合を、アイドルフレーム指示として扱い、状態装置は、アイドルフレームの指示をフレーム選択アルゴリズム８０へ送信し、アイドル状態１１６へ遷移する。前と同様に、この修正は本質的にはフレーム選択アルゴリズム８０に対し透過的である。
【００３０】
了解のとおり、ＲＢＳ３６からＢＳＣ／ＡＮＣ７０へのバックホール通信リンクに対する負荷は、本発明により軽減可能である。最大の負荷軽減は、アイドルフレームおよび削除フレームの両方が上述のとおりに処理された場合に達成されると信じられる一方、本発明のいくつかの実施形態は、アイドルフレームのみ、または削除フレームのみを上述のとおりに処理し、他のフレーム分類については従来の処理に頼る。
【００３１】
上で指摘したとおり、本発明は、さまざまなシステムアーキテクチャにおいて実施可能である。さらに、指示入力を生成するために使用される状態装置機能をフレーム選択アルゴリズムへ提供するＢＳＣ／ＡＮＣ７０は、コールアンカであってもよく、またはシステム１０における何らかの他のＢＳＣ／ＡＮＣ７０であってもよいことに留意されたい。
【００３２】
ここで使用する「移動局（ｍｏｂｉｌｅ  ｓｔａｔｉｏｎ）」９０という言葉は、セルラー無線電話（ｃｅｌｌｕｌａｒ  ｒａｄｉｏｔｅｌｅｐｈｏｎｅ）を含んでもよく、または、セルラー無線電話にデータ処理能力、ファクシミリ能力、およびデータ通信能力を組み合わせ得るパーソナル通信システム（Ｐｅｒｓｏｎａｌ  Ｃｏｍｍｕｎｉｃａｔｉｏｎｓ  Ｓｙｓｔｅｍ：ＰＣＳ）端末を含んでもよく、または、ポケットベル、ウェブブラウザ、無線電話、インターネット／イントラネット接続、オーガナイザ、カレンダー、および従来のラップトップおよび／またはパームトップ受信機を含み得る携帯情報端末（Ｐｅｒｓｏｎａｌ  Ｄａｔａ  Ａｓｓｉｓｔａｎｔ：ＰＤＡ）を含んでもよく、または無線電話トランシーバを含む他の電化製品（ａｐｐｌｉａｎｃｅｓ）を含んでもよい。
【００３３】
本発明の範囲および本質的特性から逸脱することなく、ここで説明した以外の他の具体的な方法でも、本発明が実施可能であることは言うまでもない。ゆえに、本実施形態は、あらゆる点において、例示的なものであって、限定的ではないと見なされるものであり、添付の特許請求の範囲の意図的および均等な範囲内における変更は全て、本発明に含まれるよう意図されるものである。
【図面の簡単な説明】
【００３４】
【図１】ワイヤレス通信システムの一例を示す。
【図２】基地局構成の一例を示す。
【図３】基地局構成の別例を示す。
【図４】ソフトハンドオフ間などに複数のＲＢＳと通信する移動局を示す。
【図５】本発明の一実施形態による無線基地局の状態図を示す。
【図６】本発明の一実施形態によるＢＳＣ／ＡＮＣの状態図を示す。
【図７】本発明のさまざまな実施形態において有用なフレーム選択アルゴリズムの処理流れ図を示す。
【図１】
2009517946.tif 000003
【図２】
2009517946.tif 000004
【図３】
2009517946.tif 000005
【図４】
2009517946.tif 000006
【図５】
2009517946.tif 000007
【図６】
2009517946.tif 000008
【図７】
2009517946.tif 000009
【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
ワイヤレス通信システムにおける無線基地局のオペレーションを送信するフレームを制御する方法であって、
前記無線基地局において、移動局から第１および第２の連続するフレームを受信することと、前記第２のフレームは前記第１のフレームの後に受信されることと、
前記無線基地局において前記第１および第２のフレームを分類することと、
前記第１および第２のフレームの両方が異なって分類されることに応じて、前記無線基地局は、少なくとも、前記第２のフレームに関連するヘッダを、前記移動局に関連するコールアンカへ送信することと、前記ヘッダは、前記第２のフレームの分類を示すことと、
前記第１および第２のフレームの両方が削除フレームに分類されることに応じて、または前記第１および第２のフレームの両方がアイドルフレームに分類されることに応じて、前記無線基地局は、前記ヘッダを前記コールアンカへ送信することを控えることと
を含む方法。
【請求項２】
前記第２のフレームが良フレームに分類される場合、少なくとも、前記第２のフレームに関連するヘッダを、前記コールアンカへ送信する前記無線基地局は、前記ヘッダと前記第２のフレームに関連するペイロードとを前記コールアンカへ送信する前記第１の無線局を含む、請求項１に記載の方法。
【請求項３】
前記移動局からの対応するフレーム送信の受信なしで、フレーム境界が発見される場合、前記フレームをアイドルフレームに分類すること、をさらに含む請求項１に記載の方法。
【請求項４】
前記無線基地局において前記第１および第２のフレームを分類することは、前記フレームを良、アイドル、または削除のいずれかに分類することを含む、請求項１に記載の方法。
【請求項５】
フレーム分類情報をコールアンカによりフレーム選択アルゴリズムへ提供する方法であって、前記コールアンカは、少なくともアイドルフレーム受信状態と、良フレーム受信状態と、削除フレーム受信状態とを有し、
前記方法は、
前記アイドルフレーム受信状態にあり、フレーム境界において無線基地局からフレームまたはヘッダのどちらも受信しないことに応じて、前記コールアンカは、前記無線基地局に対応する、アイドルフレームを示す指示を、前記フレーム選択アルゴリズムへ提供し、そのまま前記アイドルフレーム受信状態にあることと、
前記削除フレーム受信状態にあり、フレーム境界において前記無線基地局からフレームまたはヘッダのどちらも受信しないことに応じて、前記コールアンカは、前記無線基地局に対応する、削除フレームを示す指示を、前記フレーム選択アルゴリズムへ提供し、そのまま前記削除フレーム受信状態にあることと
を含む方法。
【請求項６】
前記良フレーム受信状態にあり、フレーム境界において前記無線基地局からフレームまたはヘッダのどちらも受信しないことに応じて、前記コールアンカは、前記無線基地局に対応する、アイドルフレームを示す指示を、前記フレーム選択アルゴリズムへ提供し、前記アイドルフレーム受信状態へ遷移すること、をさらに含む請求項５に記載の方法。
【請求項７】
前記コールアンカは、
前記良フレーム受信状態にあり、良フレーム指示を受信することに応じて、前記無線基地局に対応する、良フレームを示す指示を、前記フレーム選択アルゴリズムへ提供し、そのまま前記良フレーム受信状態にあることと、
前記良フレーム受信状態にあり、フレーム境界において前記無線基地局からフレームまたはヘッダのどちらも受信しないことに応じて、前記無線基地局に対応する、アイドルフレームを示す指示を、前記フレーム選択アルゴリズムへ提供し、前記アイドルフレーム受信状態へ遷移することと、
前記良フレーム受信状態にあり、削除フレーム指示を受信することに応じて、前記無線基地局に対応する、削除フレームを示す指示を、前記フレーム選択アルゴリズムへ提供し、前記削除フレーム受信状態へ遷移することと、
前記削除フレーム受信状態にあり、良フレーム指示を受信することに応じて、前記無線基地局に対応する、良フレームを示す指示を、前記フレーム選択アルゴリズムへ提供し、前記良フレーム受信状態へ遷移することと、
前記削除フレーム受信状態にあり、アイドルフレーム指示を受信することに応じて、前記無線基地局に対応する、アイドルフレームを示す指示を、前記フレーム選択アルゴリズムへ提供し、前記アイドルフレーム受信状態へ遷移することと、
前記アイドルフレーム受信状態にあり、良フレーム指示を受信することに応じて、前記無線基地局に対応する、良フレームを示す指示を、前記フレーム選択アルゴリズムへ提供し、前記良フレーム受信状態へ遷移することと、
前記アイドルフレーム受信状態にあり、削除フレーム指示を受信することに応じて、前記無線基地局に対応する、削除フレームを示す指示を、前記フレーム選択アルゴリズムへ提供し、前記削除フレーム受信状態へ遷移することと、
をさらに含む請求項５に記載の方法。
【請求項８】
ワイヤレス通信システムための無線基地局であって、
移動局から第１および第２のフレームをリバースリンクで受信するように動作する受信機と、前記第２のフレームは前記第１のフレームの直後に連続することと、
前記受信機に結合され、
前記第１および第２のフレームを分類し、
前記第１および第２のフレームの両方が異なって分類されることに応じて、少なくとも、前記第２のフレームに関連するヘッダを、前記移動局に関連するコールアンカへ送信し、前記ヘッダは前記第２のフレームの分類を示し、
前記第１および第２のフレームの両方がアイドルフレームに分類されることに応じて、または前記第１および第２のフレームの両方が削除フレームに分類されることに応じて、前記ヘッダを前記コールアンカへ送信することを控える
ように構成され、動作ずる１つまたはそれ以上の処理回路と
を含む無線基地局。
【請求項９】
前記１つまたはそれ以上の処理回路は、さらに、前記第２のフレームが良フレームに分類される場合、前記ヘッダと前記第２のフレームに関連するペイロードとを前記コールアンカへ送信するように構成される、請求項８に記載の無線基地局。
【請求項１０】
前記１つまたはそれ以上の処理回路は、さらに、前記移動局からの対応するフレーム送信の受信なしで、対応するフレーム境界が発見される場合、前記フレームをアイドルフレームに分類するように構成される、請求項８に記載の無線基地局。
【請求項１１】
前記１つまたはそれ以上の処理回路は、さらに、前記第１および第２のフレームを良、アイドル、または削除のいずれかに分類するように構成される、請求項８に記載の無線基地局。
【請求項１２】
ワイヤレス通信システムにおけるコールアンカであって、
無線基地局を通して、移動局からのリバースリンク送信を受信するように動作する無線基地局インターフェースと、
前記無線基地局インターフェースに結合され、
少なくともアイドルフレーム受信状態と、良フレーム受信状態と、削除フレーム受信状態との間で、前記移動局に関連するフレーム受信状態を探知し、
前記削除フレーム受信状態にあり、フレーム境界において前記無線基地局からフレームまたはヘッダのどちらも受信しないことに応じて、前記無線基地局に対応する、削除フレームを示す指示を、フレーム選択アルゴリズムへ提供し、
前記アイドルフレーム受信状態にあり、フレーム境界において前記無線基地局からフレームまたはヘッダのどちらも受信しないことに応じて、前記無線基地局に対応する、アイドルフレームを示す指示を、フレーム選択アルゴリズムへ提供する
ように構成され、動作する１つまたはそれ以上の処理回路と
を含むコールアンカ。
【請求項１３】
前記１つまたはそれ以上の処理回路は、さらに、前記良フレーム受信状態にあり、フレーム境界において前記無線基地局からフレームまたはヘッダのどちらも受信しないことに応じて、前記無線基地局に対応する、アイドルフレームを示す指示を、フレーム選択アルゴリズムへ提供するように構成される、請求項１２に記載のコールアンカ。
【国際調査報告】
2009517946.tif 000010
2009517946.tif 000011
2009517946.tif 000012
2009517946.tif 000013
2009517946.tif 000014